(57)【特許請求の範囲】
【請求項１】
押鍵に伴って回動する回動体が当接することによって、当該回動体の回動を規制する鍵盤楽器のストッパであって、
金属板で構成され、Ｌ字形の断面を有する質量体と、
当該質量体の表面側に積層された第１クッションと、
前記質量体の裏面側に積層された第２クッションと、
を備えていることを特徴とする鍵盤楽器のストッパ。
【請求項２】
前記第１および第２のクッションの硬さが互いに異なることを特徴とする、請求項１に記載の鍵盤楽器のストッパ。
【請求項３】
前記第１クッションは、前記第２クッションよりも硬いことを特徴とする、請求項２に記載の鍵盤楽器のストッパ。
【請求項４】
前記第１クッション側の表面に貼り付けられたフェルトをさらに備えていることを特徴とする、請求項１ないし３のいずれかに記載の鍵盤楽器のストッパ。
【請求項５】
前記第１および第２のクッションならびに前記質量体は、前記回動体の並び方向に延びていることを特徴とする、請求項１ないし４のいずれかに記載の鍵盤楽器のストッパ。
【発明の詳細な説明】
【技術分野】
【０００１】
本発明は、押鍵に伴って回動するハンマーや鍵などの回動体の回動を規制する鍵盤楽器のストッパに関する。
【背景技術】
【０００２】
従来、この種の鍵盤楽器のストッパとして、特許文献１に開示されたものが知られている。このストッパは、消音機能を備えたアップライトピアノに用いられ、弦とハンマーとの間に配置されており、鍵の並び方向に延びる回動軸に、それに沿って取り付けられている。この回動軸は、ピアノのケースに取り付けられている。また、ストッパは、互いに積層された硬クッション、軟クッションおよび極軟クッションで構成されており、回動軸側からこの順に配置されている。ハンマーは、押鍵に伴って回動するウィッペンやジャックを介して、弦に向かって回動するように構成されている。
【０００３】
以上の構成により、消音演奏を行う場合には、回動軸を回動させ、ストッパの極軟クッション側をハンマーに対向させる。この状態で押鍵すると、ハンマーは、所定の回動角度に達したとき、ジャックが外れる前に、ストッパの極軟クッションに当接する。この当接により、ハンマーは、極軟、軟および硬クッションを圧縮しながら、これらのクッションによって制動され、弦の手前側で停止し、それにより、ハンマーによる打弦が阻止される。また、ハンマーがストッパに当接する際の衝突音は、クッションによって低減される。
【０００４】
しかし、従来のストッパは、極軟、軟および硬の３つのクッションで構成されているため、ハンマーの当接によって大きな衝撃力が加えられたときに、ハンマーがストッパに当接してから停止するまで、極軟クッションを含む複数のクッションがかなり変位する。また、ハンマーがクッションに当接する際には、ジャックがまだ外れていないので、クッションの圧縮感が、演奏者の指先にスポンジを押すような感触として伝わる結果、ハンマーの良好な打撃感や止まり感を得ることができず、タッチ感が損なわれてしまう。このような不具合を解消するために、ストッパのクッションを硬くすることによって、その変位量を小さくすることが考えられる。しかし、その場合には、ハンマーが硬いクッションに当接する際に大きな衝突音が発生してしまう。さらに、衝突に伴う振動が硬いクッションおよび回動軸を介してケースに伝達されるため、雑音が発生するおそれがある。
【０００５】
本発明は、上記の課題を解決するためになされたものであり、回動体の良好な止まり感が得られることにより、タッチ感を向上させることができるとともに、衝突音や雑音を抑制することができる鍵盤楽器のストッパを提供することを目的とする。
【０００６】
【特許文献１】特開平６−１８０５８３号公報
【発明の開示】
【課題を解決するための手段】
【０００７】
この目的を達成するために、請求項１に係る発明は、押鍵に伴って回動する回動体が当接することによって、回動体の回動を規制する鍵盤楽器のストッパであって、金属板で構成され、Ｌ字形の断面を有する質量体と、質量体の表面側に積層された第１クッションと、質量体の裏面側に積層された第２クッションと、を備えていることを特徴とする。
【０００８】
この鍵盤楽器のストッパは、互いに積層された第１および第２のクッションと、それらの間に挟持された質量体で構成されている。鍵を押鍵すると、回動体が回動し、ストッパの第１クッションに当接する。質量体は、金属板で構成されており、比較的、剛性が高くかつ比重が大きい。これにより、回動体の当接によってストッパに大きな衝撃力が加えられても、剛性の高い質量体はほとんどたわまず、この衝撃力は、質量体を介して、第２クッションの広い面積に分散して伝達される。その結果、第２クッションが軟らかい場合でも、その局所的な凹みがほとんど発生せず、第２クッションの変位量がかなり低減される。また、質量体がほとんどたわまないので、第２クッションが軟らかい場合でも、第１クッションの裏面側の変位（食い込み）が質量体によって阻止される。その結果、第１クッションの変位量も低減される。以上のように、回動体が当接した際の第１および第２クッションの変位量がともに低減されることによって、ストッパ全体としての変位量を従来よりも低減することができる。したがって、回動体の良好な止まり感を得ることができ、それにより、タッチ感を向上させることができる。
【０００９】
また、質量体は、比重が大きく、重さが大きいことにより、振動しにくいという特性を有している。これにより、回動体の衝突に伴う振動が、第２クッションに伝達されにくくなる。また、第２クッションに伝達された振動は、第２クッションで吸収される。以上により、第２クッションを介した鍵盤楽器のケース側への振動の伝達を抑制でき、したがって、雑音を抑制することができる。
【００１１】
さらに、質量体が金属で構成されているので、剛性が高く、比重が大きい質量体を容易に得ることができる。また、安価な金属を選択することにより、質量体の材料コストを削減することができる。さらに、質量体がＬ字形の断面を有しているので、質量体の剛性がさらに高められ、回動体の当接時、質量体のたわみがさらに抑制されることによって、ストッパの変位量をさらに低減でき、したがって、タッチ感をさらに向上させることができる。
【００１２】
請求項２に係る発明は、請求項１に記載の鍵盤楽器のストッパにおいて、第１および第２のクッションの硬さが互いに異なることを特徴とする。
【００１３】
この構成によれば、第１および第２のクッションの硬さを適宜、選択することによって、所望のクッション特性を得ることができる。
【００１４】
請求項３に係る発明は、請求項２に記載の鍵盤楽器のストッパにおいて、第１クッションは、第２クッションよりも硬いことを特徴とする。
【００１５】
この構成によれば、回動体が当接する側に配置された第１クッションが、第２クッションよりも硬いので、第１クッションの変位量が低減されることによって、バネ感を生じさせることなく、回動体の良好な止まり感を確保できる。それにより、しっかりとした良好なタッチ感を得ることができる。また、衝突に伴う振動が、より軟らかい第２クッションによって十分に吸収されるので、第２クッションを介したケース側への振動の伝達を十分に抑制でき、雑音を十分に抑制することができる。また、前述したように、第２クッションが軟らかくても、両クッションの間に設けた質量体によって、第１クッションのたわみが抑制されるので、硬い第１クッションによる上述した利点は阻害されず、良好なタッチ感を確保することができる。
【００１６】
請求項４に係る発明は、請求項１ないし３のいずれかに記載の鍵盤楽器のストッパにおいて、第１クッション側の表面に貼り付けられたフェルトをさらに備えていることを特徴とする。
【００１７】
この構成によれば、回動体がフェルトに当接するので、ストッパに当接する際の衝突音を抑制することができる。
【００１８】
請求項５に係る発明は、請求項１ないし４のいずれかに記載の鍵盤楽器のストッパにおいて、第１および第２のクッションならびに質量体は、回動体の並び方向に延びていることを特徴とする。
【００１９】
この構成によれば、回動体によるストッパへの衝撃力を、回動体の並び方向に延びる第１および第２のクッションならびに質量体の全体で支持することができ、それにより、ストッパの変位量をさらに低減でき、止まり感をさらに向上させることができる。また、これらを回動体ごとに設ける場合と比較して、部品点数および組立工数が大幅に減少するので、鍵盤楽器の製造コストを削減することができる。
【発明を実施するための最良の形態】
【００２０】
以下、本発明の好ましい実施形態を、図面を参照しながら、詳細に説明する。図１は、電子ピアノの鍵盤装置を、離鍵状態において示している。この鍵盤装置１は、水平な棚板２上に設けられた鍵盤シャーシ３と、鍵盤シャーシ３に揺動自在に支持された複数の鍵４（回動体）と、鍵盤シャーシ３の後ろ側（同図の右側）に設けられたアクションシャーシ５と、アクションシャーシ５に取り付けられた複数のハンマー６（回動体）およびハンマーストッパ７（ストッパ）と、鍵盤シャーシ３に取り付けられた鍵前ストッパ８（ストッパ）を備えている。
【００２１】
鍵盤シャーシ３は、プレスにより打抜きおよび折り曲げ加工した鉄板などを組み立てたものであり、棚板２上に固定されている。鍵盤シャーシ３の前後方向の中央には、複数のバランスピン９が左右方向（図１の奥行き方向）に並ぶように配置され、立設されている。
【００２２】
複数の鍵４は、複数の白鍵４ａおよび黒鍵（図示せず）から成り、それらの各々は、前後方向に延びる鍵本体１１と、その前半部の表面に貼り付けられた鍵カバー１２で構成されている。鍵本体１１の前後方向の中央には、上下方向に貫通するバランスピン孔１３が形成されている。鍵４は、このバランスピン孔１３を介して、バランスピン９に揺動自在に支持されている。また、鍵本体１１の後端部の上部は切り欠かれており、この切欠の底面に、シート状のフェルト１４が貼り付けられている。
【００２３】
アクションシャーシ５は、鍵盤シャーシ３のすぐ後ろ側に配置され、すべての鍵４にわたるように左右方向に延びており、棚板２上に固定されている。また、このアクションシャーシ５は、アルミニウムなどの金属材料の押出成形品で中空状に形成されており、ハンマー６を支持するハンマー支持部１５と、ハンマーストッパ７が取り付けられるストッパ取付部１６を一体に備えている。
【００２４】
ハンマー支持部１５は、上下方向に長い矩形状の断面を有し、上側の前端部には、斜め前上がりに突出する円弧状のハンマー支点１７が形成されている。また、ハンマー支持部１５の上下方向の中央には、階段状の鍵載置部１８が前方に突出するように設けられている。この鍵載置部１８の前端部は、鍵盤シャーシ３にねじ止めされており、中央部の上面には、鍵後ストッパ１９が貼り付けられている。この鍵後ストッパ１９は、１本の帯状のフェルトで構成されており、すべての鍵４にわたって左右方向に連続的に延びている。
【００２５】
ハンマー６は、鍵４ごとに設けられ、合成樹脂製の棒状のハンマー本体６ａと、これに取り付けられた重り６ｂおよび調整ねじ６ｃなどで構成されている。ハンマー本体６ａの後端部には、円弧状の係合溝６ｄが形成されており、ハンマー６は、その係合溝６ｄがハンマー支点１７に係合した状態で、アクションシャーシ５のハンマー支持部１５に回動自在に支持されている。重り６ｂは、鉄板などで構成され、ハンマー本体６ａの左右の両面の前端部にそれぞれ取り付けられている（一方のみ図示）。調整ねじ６ｃは、鍵４に対するハンマー６の相対的な角度を調整するためのものであり、ハンマー本体６ａの下面に進退自在にねじ込まれている。ハンマー６は、この調整ねじ６ｃおよびフェルト１４を介して、対応する鍵４の後端部に、上方から当接している。また、ハンマー本体６ａの上面には、係合溝６ｄのすぐ前側の位置に、スイッチ押圧部２１が、突出するように設けられている。
【００２６】
アクションシャーシ５のストッパ取付部１６は、ハンマー支持部１５の上端部から、背壁２２を介して斜め前上がりに前方に延びている。図２に示すように、このストッパ取付部１６の下面の前端部には、浅い凹部２３が形成されており、この凹部２３に前記ハンマーストッパ７が取り付けられている。
【００２７】
ハンマーストッパ７は、フェルト２４、第１クッション２５、質量体２６および第２クッション２７で構成されている。これらの構成要素２４〜２７はいずれも、鍵４の並び方向にすべての鍵４にわたって連続的に延びる１本の帯状のもので構成されており、上述した順に積層され、互いに接着されている。そして、ハンマーストッパ７は、その第２クッション２７がストッパ取付部１６の凹部２３に部分的に嵌め込まれた状態で接着されることによって、ストッパ取付部１６に取り付けられている。質量体２６は、比較的剛性が高くかつ比重が大きい金属板、例えば鉄板で構成されている。第１クッション２５および第２のクッション２７はいずれも、発泡ウレタンで構成されている。第１クッション２５は、第２クッション２７と比較して、発泡の度合が低く、より硬く構成されている。
【００２８】
また、鍵前ストッパ８は、上述したハンマーストッパ７とまったく同じ構成を有する１本の帯状のものである。図４に示すように、この鍵前ストッパ８は、鍵盤シャーシ３の上面の前端部に、フェルト２４を上側に向けた状態で接着され、鍵４の並び方向にすべての鍵４にわたって延びており、離鍵状態では、フェルト２４に鍵４の前端部が対向している。
【００２９】
また、アクションシャーシ５のストッパ取付部１６には、鍵スイッチ３１が設けられている。鍵スイッチ３１は、ハンマー６を介して、対応する鍵４の押鍵情報を検出するためのものであり、スイッチ基板３２と、スイッチ基板３２に鍵４ごとに設けられたスイッチ本体３３で構成されている。ストッパ取付部１６の基端部には係合凹部３４が形成されており、鍵スイッチ３１は、この係合凹部３４にスイッチ基板３２の後端部が差し込まれた状態で、ストッパ取付部１６にねじ止めされている。離鍵状態では、スイッチ本体３３に、その下側に位置するハンマー４のスイッチ押圧部２１が対向している。
【００３０】
次に、上記の構成の鍵盤装置の動作を、図１および図３を参照しながら説明する。図１に示す離鍵状態では、鍵４は、その後端部において、ハンマー６の重さにより、調整ねじ６ｃを介して下方に押圧された状態で、鍵後ストッパ１９に載置されている。この離鍵状態から鍵４を押鍵すると、鍵４はバランスピン９を中心として、同図の反時計回りに回動する。この回動に伴い、鍵４が調整ねじ６ｃを介してハンマー６を突き上げることによって、ハンマー６は、ハンマー支点１７を中心として、時計回りに回動する。そして、図３に示すように、ハンマー６は、所定の回動角度に達したときに、ハンマーストッパ７に当接し、それにより、回動が規制される。また、このハンマー６のハンマーストッパ７との当接とほぼ同時に、鍵４の前端部が鍵前ストッパ８に当接し、それにより、鍵４の回動が規制される（図４参照）。
【００３１】
また、ハンマー６の回動の途中で、そのスイッチ押圧部２１が、鍵スイッチ３１のスイッチ本体３３を押圧することによって、鍵４の押鍵情報が検出され、図示しない制御装置により、検出された押鍵情報に応じて、電子ピアノの発音が制御される。
【００３２】
鍵４が押鍵状態から離鍵されると、鍵４およびハンマー６はそれぞれ、上記と逆方向に回動し、図１に示す離鍵状態に復帰する。
【００３３】
本実施形態によれば、前述したように、押鍵に伴い、ハンマー６がハンマーストッパ７に当接し、その際に大きな衝撃力がハンマーストッパ７に加えられた場合、剛性の高い鉄製の質量体２６はほんとどたわまず、その衝撃力は、質量体２６を介して、より軟らかい第２クッション２７の広い面積に分散して伝達される。その結果、第２クッション２７には局所的な凹みがほとんど発生しないので、第２クッション２７の変位量をかなり低減することができる。また、質量体２６によって、第１クッション２５のたわみが抑制されるので、第１クッション２５の変位量も低減される。さらに、ハンマー６が当接する側の第１クッション２５が硬いので、バネ感を生じさせることなく、ハンマー６の良好な止まり感を確保できる。以上のように、両クッション２５，２７の間に設けた質量体２６によって、ハンマー６が当接した際の第１および第２クッション２５，２７の変位量がともに低減されることで、ハンマーストッパ７全体の変位量を大幅に低減でき、それにより、ハンマー６の良好な止まり感や打撃感を得ることができ、タッチ感を向上させることができる。
【００３４】
また、第１クッション２５、質量体２６および第２クッション２７はいずれも、すべての鍵４にわたって連続的に延びているので、各ハンマー６の当接による衝撃力を、ハンマーストッパ７全体で支持することができる。それにより、ハンマーストッパ７の変位量をさらに低減でき、ハンマー６の止まり感をさらに向上させることができる。また、ハンマーストッパ７をハンマー６ごとに設ける場合と比較して、部品点数および組立工数が大幅に減少するので、電子ピアノの製造コストを削減することができる。
【００３５】
また、質量体２６は、比重が大きいことにより、振動しにくいので、ハンマー６の衝突に伴う振動が、第２クッション２７に伝達されにくい。また、第２クッション２７に伝達された振動は、より軟らかい第２クッション２７によって十分に吸収される。このため、第２クッション２７を介したアクションシャーシ５側への振動の伝達を十分に抑制でき、それにより、雑音を抑制することができる。また、ハンマー６はフェルト２４に当接するので、ハンマーストッパ７に当接する際の衝突音を抑制することができる。以上のように、タッチ感の向上と、衝突音や雑音の抑制という２つの効果を同時に得ることができる。また、前述したように、鍵前ストッパ８は、ハンマーストッパ７と同じ構成であるため、ハンマーストッパ７による上述した効果が同様に得られ、特に、押鍵時に鍵４が鍵前ストッパ８に当接した際の鍵４の良好な止まり感を得ることができる。
【００３６】
図５は、上述したストッパ７，８の変形例を、ハンマーストッパについて示している。このハンマーストッパ４１では、鉄板で構成された質量体４２は、その前端部が下方に直角に折り曲げられており、Ｌ字形の断面を有している。ハンマーストッパ４１の他の構成は、ストッパ７，８と同じである。このような折り曲げ形状により、質量体４２の剛性が高められるので、ハンマー６の当接時、質量体４２のたわみがさらに抑制されることによって、ストッパ４１の変位量をさらに低減でき、したがって、タッチ感をさらに向上させることができる。
【００３７】
なお、本発明は、説明した実施形態に限定されることなく、種々の態様で実施することができる。例えば、実施形態では、第１クッション２５は、第２クッション２７よりも硬いものとして説明したが、所望のクッション特性を得るために、両クッション２５，２７の硬さの関係を逆にしても、あるいは両者の硬さを互いに同じにしてもよい。また、ストッパ７，８はそれぞれ、電子ピアノ全体として連続する１本のもので構成されているが、それらを長さ方向で分割し、例えば１オクターブごとに設けてもよい。さらに、実施形態の第１および第２クッション２５，２７に加えて、他のクッションをストッパ７，８に積層してもよい。また、質量体２６として、例示した鉄板に代えて、剛性および比重の高い他の金属板、あるいは金属以外の適当な材料を用いてもよい。さらに、本発明を、ハンマーストッパ７および鍵前ストッパ８の両方に適用しているが、比較的大きな衝撃力が作用するハンマーストッパ７のみに適用してもよい。
【００３８】
また、実施形態は電子ピアノの例であるが、本発明は、他のタイプの鍵盤楽器、例えばアコースティックピアノの鍵や、消音機能を有するピアノのハンマーの回動の規制に適用してもよく、さらに、他の適当な回動体、例えばジャックの回動の規制に適用してもよい。その他、本発明の趣旨の範囲内で、細部の構成を適宜、変更することが可能である。
【図面の簡単な説明】
【００３９】
【図１】本発明のストッパを備えた鍵盤装置を、離鍵状態において示す側断面図である。
【図２】ハンマーストッパ付近を示す部分拡大側断面図である。
【図３】図１の鍵盤装置の後端部を、押鍵状態において示す部分側断面図である。
【図４】図１の鍵盤装置の前端部を、押鍵状態において示す部分側断面図である。
【図５】図２のハンマーストッパの変形例を示す部分側断面図である。
【符号の説明】
【００４０】
４  鍵（回動体）
６  ハンマー（回動体）
７  ハンマーストッパ
８  鍵前ストッパ
２４  フェルト
２５  第１クッション
２６  質量体
２７  第２クッション
４１  ハンマーストッパ
４２  質量体
【図１】
0004659394.tif 000002
【図２】
0004659394.tif 000003
【図３】
0004659394.tif 000004
【図４】
0004659394.tif 000005
【図５】
0004659394.tif 000006